(57)【要約】【課題】襟部の内部にヒータ部材を収納して襟部を容易に温めることができる衣服を提供する。【解決手段】本考案の衣服１は、ヒータ部材１０を内蔵し上半身の胴体を覆う衣服１であって、襟部２０の内部にヒータ部材１０を抜き差し自在に収納する第１の収納部３０が形成される。襟部２０の裏地３側の下部側には差し込み口３０ａが設けられ、該差し込み口３０ａを介して、第１の収納部３０にヒータ部材１０が差し込まれる。【選択図】図１
0003206845.tif 000002
【実用新案登録請求の範囲】
【請求項１】
ヒータ部材を内蔵し上半身の胴体を覆う衣服であって、
襟部の内部に前記ヒータ部材を抜き差し自在に収納する第１の収納部が形成されることを特徴とする衣服。
【請求項２】
前記襟部の裏地側の下端部側に、前記第１の収納部に前記ヒータ部材を差し込むための差し込み口を設けることを特徴とする請求項１に記載の衣服。
【請求項３】
前記襟部は、少なくとも表地側を形成する布地および裏地側を形成する布地からなる複数の布地を重ね合わせて形成され、
前記第１の収納部は、前記複数の布地間に形成され前記襟部の内部に設けられることを特徴とする請求項２に記載の衣服。
【請求項４】
前記襟部の下方に前記ヒータ部材を抜き差し自在に収納する第２の収納部が形成されることを特徴とする請求項３に記載の衣服。
【請求項５】
前記第２の収納部の幅寸法は、前記第１の収納部の差し込み口よりも小さい幅寸法に形成されることを特徴とする請求項４に記載の衣服。
【請求項６】
前記ヒータ部材は、Ｔ字状に形成されることを特徴とする請求項５に記載の衣服。
【請求項７】
前記ヒータ部材は、ＵＳＢコネクタおよびスイッチと配線を介して接続されることを特徴とする請求項１乃至請求項６に記載の衣服。
【請求項８】
前記ヒータ部材は、不織布、ポリエチレンフォーム、シリコン、および断熱材のうちいずれかからなる基材にヒータを設けて形成されることを特徴とする請求項１乃至請求項７に記載の衣服。
【考案の詳細な説明】
【技術分野】
【０００１】
本考案は、衣服に関し、特にヒータ部材を内蔵し上半身の胴体を覆う衣服に関する。
【背景技術】
【０００２】
従来からヒータ部材を内蔵した衣服が知られており、例えば、特許文献１においては、薄型金属ヒータを背中相当位置の上部側および中間部に設けた衣服（ベスト）が開示されている。
【先行技術文献】
【特許文献】
【０００３】
【特許文献１】登録実用新案第３００５９３０号公報
【考案の概要】
【考案が解決しようとする課題】
【０００４】
ところで、近年は需要者から様々なヒータ部材を内蔵した衣服の要求があり、例えば、外気が入り込み易い襟部を直接温めることができる衣服の提案が強く望まれている。
【０００５】
本考案は、上記事情に鑑みてなされたものであり、襟部の内部にヒータ部材を収納して襟部を容易に温めることができる衣服を提供することを目的とする。
【課題を解決するための手段】
【０００６】
上記目的を達成するために、衣服に係る請求項１の考案は、ヒータ部材を内蔵し上半身の胴体を覆う衣服であって、襟部の内部にヒータ部材を抜き差し自在に収納する第１の収納部が形成されることを特徴とする。
【０００７】
本考案によれば、襟部の内部にヒータ部材を抜き差し自在に収納する第１の収納部が形成されることとしたので、襟部の内部にヒータ部材を収納して該襟部を容易に温めることができる。また、ヒータ部材を第１の収納部から容易に抜き出すことができ、例えば、洗濯時に電気製品であるヒータ部材を抜き出す等、ヒータ部材を必要に応じて容易に抜き出すことができる。
【０００８】
襟部の裏地側の下端部側に、第１の収納部にヒータ部材を差し込むための差し込み口を設けることとすれば、ヒータ部材を、差し込み口を介して第１の収納部に容易に差し込むことができる（請求項２）。
【０００９】
襟部は、少なくとも表地側を形成する布地および裏地側を形成する布地からなる複数の布地を重ね合わせて形成され、第１の収納部は、複数の布地間に形成され襟部の内部に設けられることとすることができる（請求項３）。
【００１０】
襟部の下方にヒータ部材を抜き差し自在に収納する第２の収納部が形成されることとすれば、ヒータ部材を安定して収納することができる（請求項４）。
【００１１】
第２の収納部の幅寸法は、第１の収納部の差し込み口よりも小さい幅寸法に形成されることとすることができる（請求項５）。
【００１２】
ヒータ部材は、Ｔ字状に形成されることとすれば、Ｔ字状の両端の突出部が第２の収納部の上端に引っ掛かるように固定され、更に安定した収納状態を確保することができる（請求項６）。
ヒータ部材は、ＵＣＢコネクタおよびスイッチと配線を介して接続されることとすることができる（請求項７）。
【００１３】
ヒータ部材は、不織布、ポリエチレンフォーム、シリコン、および断熱材のうちいずれかからなる基材にヒータを設けて形成されることとすれば、基材を適切な硬さに形成する等することにより、第１の収納部および第２の収納部へのヒータ部材の差し込みを安定して行うことができる（請求項８）。
【考案の効果】
【００１４】
本考案によれば、襟部の内部にヒータ部材を収納して襟部を容易に温めることができる。
【図面の簡単な説明】
【００１５】
【図１】本考案の実施形態に係る衣服の裏地側の構成を示す平面図である。
【図２】同衣服の表地側の構成を示す平面図である。
【図３】同衣服に内蔵されるヒータ部材の構成を示す図で、（ａ）は平面図、（ｂ）は側面図である。
【図４】同衣服の第１の収納部および第２の収納部へのヒータ部材の収納方法を説明するための平面図である。
【図５】同衣服の第１の収納部および第２の収納部へのヒータ部材の収納方法を説明するための図４に続く平面図である。
【図６】同衣服の第１の収納部および第２の収納部へのヒータ部材の収納方法を説明するための図５に続く平面図である。
【図７】本考案の変形例を説明するための平面図である。
【考案を実施するための形態】
【００１６】
以下、本考案の実施形態について図面を参照して詳細に説明する。なお、以下の説明においては、衣服１の襟部２０側（首回り側）を上方、その下方側（胴回り側）を下方、襟部２０の形成方向を左右方向として説明するものとする。
【００１７】
図１は、本考案の実施形態に係る衣服１の裏地３側の構成を示す平面図、図２は、同衣服１の表地２側の構成を示す平面図である。
【００１８】
これらの図を参照して本考案の衣服１の全体構成の概要を説明すると、衣服１は、上半身の胴体を覆う衣服１であって、ヒータユニット２より詳しくはヒータ部材１０を内蔵する防寒用のベストである。衣服１は、合成繊維からなる表地２と裏地３との間に羽毛等の充填材料が詰められて形成されており、高い保温性を有している。
【００１９】
ヒータ部材１０は、図３に示すように薄板状にかつＴ字状に形成されており、上部側の両端部に突出部１０´が形成されている。ヒータ部材１０は、基材１０ａにヒータ１０ｂを設けて形成されている。基材１０ａは、不織布、ポリエチレンフォーム、シリコン、および断熱材のうちいずれかからなり、一定の硬さを有して板状に形成されている。これにより、ヒータ部材１０は、外力が加えられる場合にあっても安定した形状に保持される。ヒータ１０ｂには、例えばセラミックヒータが採用される。
【００２０】
ヒータ部材１０の下端隅部には、第１の配線１０ｃおよび第２の配線１０ｄの一端が接続され、第１の配線１０ｃの他端は、バッテリー（図示せぬ）に接続されるＵＳＢコネクタ１０ｈに、第２の配線１０ｄの他端は、電源をオンオフするスイッチ１０ｆに、それぞれ電気的に接続されている。なお、ヒータユニット２は、上記からも明らかなように、ヒータ部材１０、第１の配線１０ｃ、第２の配線１０ｄ、ＵＳＢコネクタ１０ｈ、バッテリー（図示せぬ）、およびスイッチ１０ｆから構成される。
【００２１】
図１および図２に示すように、衣服１の裏地３側には、第１の配線１０ｃおよび第２の配線１０ｄを固定するための固定部材１０ｇが設けられている。固定部材１０ｇは、環状体より詳しくはゴム管またはマジックテープで構成されており、ゴム管の中空部に配線１０ｃ，１０ｄを挿通し、またはマジックテープを環状に巻き付けて固定することができる。
【００２２】
ここで、衣服１の上端縁部には、襟部２０が形成されており、襟部２０の内部にはＴ字状をなすヒータ部材１０の上部側を抜き差し自在に収納する第１の収納部３０が形成されている。
【００２３】
すなわち、襟部２０は、複数の布地を重ね合わせて形成されており、第１の収納部３０は、複数の布地間に形成されることにより襟部２０の内部に形成される構成となっている。
【００２４】
つまり、襟部２０の裏地３側の下端部側には、第１の収納部３０にヒータ部材１０を差し込むための差し込み口３０ａが設けられている（差し込み口３０ａは、襟部２０の裏地３側を形成する布地の中央部下端を切り込むように、または、布地の中央部下端を裁縫せずに開放するように形成され、表地２側の布地には切り込みが達しないように形成されている）。差し込み口３０ａは、襟部２０の裏地３側の中央部に設けられており、襟部２０の下端部側の形状に沿って左右方向に延びるように設けられている。Ｔ字状をなすヒータ部材１０の上部側は、差し込み口３０ａを介して第１の収納部３０に下方側から差し込まれるように収納される。
【００２５】
なお、差し込み口３０ａは、ヒータ部材１０の上部側の幅寸法よりも大きい寸法に設定され、より詳しくは、差し込み口３０ａは、ヒータ部材１０の幅寸法の１．２倍乃至２倍の大きさ寸法に設定され、更に詳しくは、ヒータ部材１０の幅寸法の１．２倍乃至１．５倍の大きさ寸法に設定されている。
【００２６】
襟部２０の下方側には、ヒータ部材１０の中間部から下部側を抜き差し自在に収納する第２の収納部４０が更に形成されている。
【００２７】
すなわち、第２の収納部４０は、襟部２０の裏地３側の下方側に袋状に設けられており矩形状に形成されている。第２の収納部４０は、Ｔ字状をなすヒータ部材１０の中間部から下部側が収納されるように、第１の収納部３０の差し込み口３０ａよりも小さい幅寸法に設定されている。
【００２８】
第２の収納部４０は、上端部側が第１の収納部３０の内部に入り込むように設けられており、ヒータ部材１０は、隙間を有することなく第１の収納部３０および第２の収納部４０に全体が覆われている。第１の収納部３０の下端部の中央部および第２の収納部４０の上端部の中央部には一対の接続部材４ａ，４ｂが設けられており、第１の収納部３０と第２の収納部４０とは接続部材４ａ，４ｂを介して接続される。接続部材４ａ，４ｂには、例えばマジックテープが採用される。
【００２９】
なお、第２の収納部４０の下端隅部には孔４０ｂが設けられており、該孔４０ｂにヒータ部材１０の第１の配線１０ｃおよび第２の配線１０ｄが挿通される。
【００３０】
次に収納部３０，４０へのヒータ部材１０の収納方法を図４乃至図６に基づいて説明する。
【００３１】
すなわち、衣服１にヒータ部材１０が未収納の状態（図４）から、まずヒータ部材１０の中間部および下部側を第２の収納部４０に収納した状態とし、併せて第１の配線１０ｃおよび第２の配線１０ｄを固定部材１０ｇにより固定した状態とする（図５）。この第２の収納部４０によるヒータ部材１０の収納はヒータ部材１０を第２の収納部４０内で固定や固着して行われることはなく単に収納されるのみで、ヒータ部材１０は第２の収納部４０に対し抜き差し自在な構成となっている。
【００３２】
そして、第１の収納部３０の下端の差し込み口３０ａを持ち上げて捲り上げるように開放し、形成された空間３０ｃ内にヒータ部材１０の上部側を差し込み内包させる（図６）。続いて、差し込み口３０ａを下方におろして閉塞し、ヒータ部材１０を第１の収納部３０に収納させた状態とし、ヒータ部材１０の収納動作を終了する（図１）。この第１の収納部３０によるヒータ部材１０の収納はヒータ部材１０を第１の収納部３０内で固定や固着して行われることはなく単に収納されるのみで、ヒータ部材１０は第１の収納部３０に対しても抜き差し自在な構成となっている。なお、スイッチ１０ｆは、衣服１の表地２側のポケット５０にクリップ部材を介して引っ掛けるように固定される。
【００３３】
以上説明したように本考案の衣服１によれば、襟部２０の内部にヒータ部材１０を抜き差し自在に収納する第１の収納部３０が形成されることとしたので、襟部２０の内部にヒータ部材１０を収納して該襟部２０を容易に温めることができる。また、ヒータ部材１０を第１の収納部３０から容易に抜き出すことができ、例えば、洗濯時に電気製品であるヒータ部材１０を抜き出す等、ヒータ部材１０を必要に応じて容易に抜き出すことができる。
【００３４】
また、襟部２０の裏地３側の下部側に、第１の収納部３０にヒータ部材１０を差し込むための差し込み口３０ａを設けることとしたので、ヒータ部材１０を、差し込み口３０ａを介して第１の収納部３０に容易に差し込むことができる。
【００３５】
更に、襟部２０の下方にヒータ部材１０を抜き差し自在に収納する第２の収納部４０が形成されることとしたので、ヒータ部材１０を安定して収納することができる。
【００３６】
更にまた、ヒータ部材１０は、Ｔ字状に形成されることとしたので、Ｔ字状の両端の突出部１０´が第２の収納部４０の上端に引っ掛かるように固定され、更に安定した収納状態を確保することができる。
【００３７】
また、ヒータ部材１０は、基材１０ａにヒータ１０ｂを設けて形成されることとしたので、基材１０ａを適切な硬さに板状に形成することにより、第１の収納部３０および第２の収納部４０へのヒータ部材１０の差し込みを安定して行うことができる。
【００３８】
なお、本考案は、上述した実施形態に限定されることなく実用新案登録請求の範囲を逸脱しない範囲において種々の変形実施、応用実施が可能であることは勿論である。
【００３９】
すなわち、例えば、上述した実施形態にあっては、差し込み口３０ａを襟部２０の下端部側の形状に沿って左右方向に延びるように設けることとしているが、図７に示すように、この差し込み口３０ａに加えて該差し込み口３０ａの両端から上方に延びる差し込み口３０ｂを更に設けることとしてもよい。この場合にあっては、差し込み口３０ａを開放し易くなり、第１の収納部３０へのヒータ部材１０の差し込みを容易に行うことができる。
【産業上の利用可能性】
【００４０】
本考案は、襟部の内部にヒータ部材を抜き差し自在に収納することができる衣服を提供する。これにより、新たな需要を喚起し各種の業界の発展に寄与する。
【符号の説明】
【００４１】
１：衣服
２：表地
３：裏地
４ａ，４ｂ：接続部材
１０：ヒータ部材
１０ａ：基材
１０ｂ：ヒータ
１０ｃ：第１の配線
１０ｄ：第２の配線
１０ｆ：スイッチ
１０ｇ：固定部材
１０ｈ：ＵＳＢコネクタ
２０：襟部
３０：第１の収納部
３０ａ：差し込み口
３０ｂ：差し込み口
３０ｃ：空間
４０：第２の収納部
４０ｂ：孔
５０：ポケット
【図１】
0003206845.tif 000003
【図２】
0003206845.tif 000004
【図３】
0003206845.tif 000005
【図４】
0003206845.tif 000006
【図５】
0003206845.tif 000007
【図６】
0003206845.tif 000008
【図７】
0003206845.tif 000009